(57)【特許請求の範囲】
【請求項１】
その正面に開口部を有する石製灯籠に対して固定可能な固定部と、前記固定部に対して揺動自在に取り付けられた扉本体とを備え、前記扉本体の揺動動作によって前記開口部を開閉する石製灯籠用扉において、
前記固定部は、
前記開口部の一方端部に対して前記石製灯籠の正面から当接可能に設けられた第１当接部位と、
前記一方端部に対向する前記開口部の他方端部に対して前記石製灯籠の正面から当接可能に設けられた第２当接部位と、
前記第１および第２当接部位を相互に離間させた状態で連結するとともに、外力によって強制湾曲されることで前記第１および第２当接部位の離間距離を変更させる連結部位とを備え、
前記連結部位が前記石製灯籠の内部に向けて強制湾曲された状態で前記開口部を介して前記石製灯籠の内部に挿入されると、前記連結部位により前記開口部において前記固定部の前記第１当接部位側および前記第２当接部位側が互いに離間する方向に付勢されて前記開口部の開口を臨む前記一方端部および前記他方端部の端面にそれぞれ押し付けられて前記石製灯籠に固定され、
前記固定部は、強制湾曲された前記連結部位が前記石製灯籠の内部に挿入されるとともに、前記第１当接部位側および前記第２当接部位側が、前記開口部の開口を臨む前記一方端部および前記他方端部の端面にそれぞれ押し付けられた状態で、強制湾曲された前記連結部位が有する、前記固定部全体を前記開口部から排出する向きの付勢力に抗しながら、前記開口部よりも前記石製灯籠の背面側において前記石製灯籠に係止される係止部位をさらに備えることを特徴とする石製灯籠用扉。
【請求項２】
その正面に開口部が形成された灯籠本体部と、
請求項１記載の石製灯籠用扉とを備え、
前記固定部が前記灯籠本体部に対して固定され、前記扉本体の揺動動作によって前記開口部を開閉可能となっていることを特徴とする石製灯籠。
【発明の詳細な説明】
【技術分野】
【０００１】
この発明は、寺院の境内や墓前等に設置される石製灯籠および該灯籠に適した扉に関するものである。
【背景技術】
【０００２】
従来、寺院の境内や墓前等に設置される石製灯籠として、例えば特許文献１や特許文献２に記載されたものが知られている。これらの石製灯籠では、石柱内部を刳り貫くとともに、その石柱正面に開口部を設けることによって灯籠本体部が形成されている。そして、灯籠本体部の内部に位置するロウソク立てにロウソクを立てることで、ロウソクから放射される光が開口部を介して灯籠本体部の外部に導かれて灯籠本体部の正面側を照らすことが可能となっている。また、従来例では、灯籠本体部に対するロウソクの収容および取出しを容易とし、しかもロウソクの火が消えるのを防止するために、石製灯籠用扉が開口部に対して開閉可能に灯籠本体部に装着されている。
【０００３】
【特許文献１】特許第３０１２２００号公報
【特許文献２】特開２００１−４９９０４号公報
【発明の開示】
【発明が解決しようとする課題】
【０００４】
ところで、石製灯籠用扉を灯籠本体部に装着固定するにあたって、従来例では石製灯籠用扉の固定部の全部または一部を灯籠本体部の内部に配置するとともに、ネジ等を操作して灯籠本体部への固定部の固定作業を行う必要がある。例えば特許文献１に記載の石製灯籠では、固定部全体が灯籠本体部の内底部側に配置されている。この固定部にはネジ部が設けられるとともに、該ネジ部の端部に回転操作部が取り付けられている。そして、回転操作部を操作することで、ネジ部の後端部と螺合されている角材部が灯籠本体部の内周面に押し付けられるとともに、ネジ部の先端が灯籠本体部の内周面に押し付けられて固定部全体が灯籠本体部に強固に固定される。
【０００５】
また、特許文献２に記載の石製灯籠では、開口部の形状に対応した基枠が固定部として設けられている。この基枠の下部には略Ｌ字型の取付片が設けられるとともに、該取付片の先端にネジが螺着されている。そして、この取付片およびネジを灯籠本体部の内部に挿入した後、該ネジを回転操作することでネジの先端が灯籠本体部の内周面に押し付けられて基枠の下方部が灯籠本体部に挟持される。一方、基枠の上部にはネジが挿入されており、該ネジを回転操作することで同ネジに螺着された湾曲帯状片とで開口部の端部が挟持される。こうして基枠（固定部）が灯籠本体部に強固に固定される。
【０００６】
このように、従来の石製灯籠では、灯籠本体部の内部でネジを操作する必要があり、取付作業者は開口部や別の開口部（例えば灯籠本体部の底部や頂上部等）から手を灯籠本体部の内部に差し入れる必要がある。したがって、灯籠本体部への石製灯籠用扉の装着作業が煩雑なものとなっていた。また、灯籠本体部から石製灯籠用扉を取り外す場合にも、灯籠本体部の内部に手を差し入れてネジの回転操作が必要となり、装着作業と同様に取外し作業も煩雑なものとなっていた。
【０００７】
また、特許文献２に記載された石製灯籠に代表されるように、灯籠本体部への石製灯籠用扉の固定箇所が複数になると、すべての固定箇所を所望位置に位置決めする作業と、各固定箇所でのネジ操作などの固定作業とを順番に行う必要がある。例えば、特許文献２に記載の石製灯籠では、(1)灯籠本体部に対する基枠の位置決め作業、(2)基枠の下方部でのネジ操作、(3)基枠の上方部でのネジ操作の合計３つの作業を行なう必要があった。
【０００８】
この発明は上記課題に鑑みなされたものであり、優れた作業性で石製灯籠に対する石製灯籠用扉の着脱を行うことができる石製灯籠用扉および石製灯籠を提供することを目的とする。
【課題を解決するための手段】
【０００９】
この発明にかかる石製灯籠用扉は、その正面に開口部を有する石製灯籠に対して固定可能な固定部と、前記固定部に対して揺動自在に取り付けられた扉本体とを備え、前記扉本体の揺動動作によって前記開口部を開閉する石製灯籠用扉であって、上記目的を達成するため、前記固定部は、前記開口部の一方端部に対して前記石製灯籠の正面から当接可能に設けられた第１当接部位と、前記一方端部に対向する前記開口部の他方端部に対して前記石製灯籠の正面から当接可能に設けられた第２当接部位と、前記第１および第２当接部位を相互に離間させた状態で連結するとともに、外力によって強制湾曲されることで前記第１および第２当接部位の離間距離を変更させる連結部位とを備え、前記連結部位が前記石製灯籠の内部に向けて強制湾曲された状態で前記開口部を介して前記石製灯籠の内部に挿入されると、前記連結部位により前記開口部において前記固定部の前記第１当接部位側および前記第２当接部位側が互いに離間する方向に付勢されて前記開口部の開口を臨む前記一方端部および前記他方端部の端面にそれぞれ押し付けられて前記石製灯籠に固定され、前記固定部は、強制湾曲された前記連結部位が前記石製灯籠の内部に挿入されるとともに、前記第１当接部位側および前記第２当接部位側が、前記開口部の開口を臨む前記一方端部および前記他方端部の端面にそれぞれ押し付けられた状態で、強制湾曲された前記連結部位が有する、前記固定部全体を前記開口部から排出する向きの付勢力に抗しながら、前記開口部よりも前記石製灯籠の背面側において前記石製灯籠に係止される係止部位をさらに備えることを特徴としている。
【００１０】
このように構成された発明では、石製灯籠に直接固定される固定部では、第１および第２当接部位が連結部位によって相互に連結されている。このため、連結部位を強制湾曲させると、その強制湾曲状態に応じた付勢力が発生して第１および第２当接部位を互いに離間する方向に付勢する。したがって、石製灯籠の内部に向けて強制湾曲された連結部位を開口部を介して石製灯籠の内部に挿入すると、その付勢力によって第１および第２当接部位が開口部の一方端部および他方端部にそれぞれ当接して石製灯籠に固定される。このように、連結部位を強制湾曲させたまま開口部から石製灯籠の内部に挿入することのみで石製灯籠用扉を石製灯籠に装着することができる。また、取り外す場合には、連結部位を強制湾曲させたまま開口部から引き抜くことで石製灯籠用扉を取り外すことができる。このように、石製灯籠用扉をワンタッチで着脱することができ、石製灯籠に対する石製灯籠用扉の着脱作業性を大幅に向上させることができる。
【００１１】
また、上記のようにして石製灯籠に装着された固定部では、第１および第２当接部位を互いに離間する方向に付勢する力（以下「離間付勢力」という）以外に、固定部全体を正面側に付勢する力も発生するが、該付勢力が離間付勢力よりも十分に小さい場合には特段問題視する必要はない。しかしながら、該付勢力を無視できない場合には固定部に係止部位をさらに設けるのが望ましい。すなわち、強制湾曲された前記連結部位が前記石製灯籠の内部に挿入されるとともに、前記第１当接部位側および前記第２当接部位側が、前記開口部の開口を臨む前記一方端部および前記他方端部の端面にそれぞれ押し付けられた状態で、強制湾曲された前記連結部位が有する、前記固定部全体を前記開口部から排出する向きの付勢力に抗しながら、前記開口部よりも前記石製灯籠の背面側において前記石製灯籠に係止される係止部位をさらに備えることで、固定部が正面側に移動するのを防止して石製灯籠用扉をより強固に石製灯籠に固定することができる。
【００１２】
さらに、この発明にかかる石製灯籠は、上記目的を達成するため、その正面に開口部が形成された灯籠本体部と、請求項１または２記載の石製灯籠用扉とを備え、固定部が灯籠本体部に対して固定され、扉本体の揺動動作によって開口部を開閉可能となっていることを特徴としている。
【発明を実施するための最良の形態】
【００１３】
図１は本発明にかかる石製灯籠の一実施形態を示す斜視図であり、図２は図１の石製灯籠の断面図であり、図３は図１の石製灯籠に装着される石製灯籠用扉を示す斜視図である。この実施形態では、石製灯籠用扉１が石製灯籠２に対して着脱自在となっており、石製灯籠２に装着された状態で石製灯籠２の開口部に対して開閉自在となっている。すなわち、石製灯籠２は、図１および図２に示すように、その下部が径大な基台部２１と、この基台部２１の上部に連設された灯籠本体部２２とで構成されている。そして、灯籠本体部２２の正面側（図２の右手側）に開口部２３が設けられており、灯籠本体部２２の内部に位置するロウソク立てに立てられたロウソク（図示省略）から放射される光を石製灯籠２の外部に導いて石製灯籠２の正面側を照らすことが可能となっている。また、この実施形態においても、灯籠本体部２２に対するロウソクの収容および取出しを容易とし、しかもロウソクの火が消えるのを防止するために、開口部２３に対して石製灯籠用扉１を装着可能で、しかも石製灯籠２への装着状態で石製灯籠２の開口部２３に対して開閉可能となっている。以下、石製灯籠用扉１の構成について詳述する。
【００１４】
石製灯籠用扉１は、灯籠本体部２２に対して固定可能な固定部１１と、扉本体１２と、ステンレス製の扉本体１２を固定部１１に対して揺動自在に支持する支持部１３とを備えている。この固定部１１は、開口部２３の左側端部２３Ｌに当接可能に設けられた第１当接部位１１１と、開口部２３の右側端部２３Ｒに当接可能に設けられた第２当接部位１１２とを備えている。より詳しくは、各当接部位１１１，１１２は上下方向において開口部２３よりも若干短く、しかも水平断面形状が略レ状に仕上げられたステンレス製金属片で構成されている。そして、各当接部位１１１，１１２の折り曲げ部分が開口部２３の端部と当接可能となっている。
【００１５】
また、この固定部１１では、第１および第２当接部位１１１，１１２は互いに対向配置された状態で２本の帯状片１１３で相互に連結されている。また、各帯状片１１３は石製灯籠２の内部に向けて湾曲した形状を有しており、例えば図３に示すように外力付与が全くない状態では単に当接部位１１１，１１２の連結機能を発揮するのみであるが、後述するようにして強制湾曲させると、その強制湾曲状態に応じた付勢力が発生して当接部位１１１，１１２を互いに離間する方向に付勢する。このように、この実施形態では２本の帯状片１１３によって本発明の「連結部位」が構成されているが、湾曲帯状片１１３の本数、形状や配置などについては任意である。また、この実施形態では、当接部位１１１，１１２と帯状片１１３とをそれぞれ独立した部材により構成するとともに、スポット溶接や締結部材などの接続技術を用いて連結しているが、当接部位１１１（または１１２）と帯状片１１３とを一体成形したり、当接部位１１１，１１２と帯状片１１３とを一体成形するようにしてもよい。また、外力付与がない状態ではストレートに伸びる連結部位を採用してもよい。さらに、帯状片１１３などの連結部位を構成する材料の選定にあたっては、可撓性があり、バネ特性を有する材料であれば任意であるが、ロウソクによる変形を防止し、また後述するようにロウソクの光を効率的に開口部２３から放射させるためにステンレス鋼やバネ鋼などの金属材料を用いるのが望ましい。
【００１６】
また、各帯状片１１３には、当接部位１１１，１１２の連結部近傍に係止部位１１４が形成されている。より具体的には、帯状片１１３の一部に各当接部位側より切り込み部を設けるとともに、図３の破線箇所を折り曲げ箇所として切り込み片部を石製灯籠２の内部に折り曲げることで、合計４個の切り込み片部が係止部位１１４として形成されている。これらの係止部位１１４は、後述するようにして固定部１１が灯籠本体部２２に対して装着されると、灯籠本体部２２の内壁面と接触して帯状片１１３の変位を防止している。
【００１７】
この固定部１１の第２当接部位１１２には、２つのヒンジ１３１と該ヒンジ１３１の間に配置されたバネ部材１３２を有する支持部１３が取り付けられており、ヒンジ１３１によって扉本体１２が第２当接部位１１２に対して揺動自在に支持されている。また、バネ部材１３２によって扉本体１２が開口部２３側に付勢されている。なお、この実施形態では、ヒンジ１３１によって扉本体１２を固定部１１に対して揺動自在に取り付けているが、他の揺動支持方式、例えば蝶番を用いてもよいことはいうまでもない。
【００１８】
扉本体１２はの略中央部には、１つの窓部１２１が設けられている。そして、この窓部１２１にガラスなどの耐熱性透明部材１４が取着されている。具体的には、扉本体１２の上下部に固着された４つの係止爪部１２２によって、透明部材１４は扉本体１２に固定されている。また、扉本体１２の下部中央にロウソク立て１５が支持板を介して取り付けられている。したがって、必要に応じて扉本体１２の前面に取り付けられた取手部１２３を摘んで操作することで、扉本体１２および透明部材１４が一体的に開口部２３に対して開閉される。なお、この実施形態では、ロウソク立て１５が支持板の先端部に固着されているが、ロウソク立て１５を支持板に対して着脱自在に構成してもよい。
【００１９】
次に、上記のように構成された扉１を石製灯籠２に取り付ける手順について図４を参照しつつ詳述する。図４は石製灯籠への石製灯籠用扉の取付手順を模式的に示す図である。なお、ここでは、灯籠本体部２２への固定部１１の装着手順を中心に説明するため、固定部１１と接続されている扉本体１２、支持部１３、透明部材１４およびロウソク立て１５の図示は省略する。
【００２０】
石製灯籠用扉１を準備した段階（装着前）では、上記したように帯状片（連結部位）１１３には外力は全く作用しておらず、左右方向における固定部１１の幅は開口部２３の幅よりも広がっている（同図（ａ））。そこで、取付作業者は、同図（ｂ）の矢印ＡＲ1に示すように当接部位１１１，１１２を互いに近接させて帯状片１１３を強制的に湾曲変形させるとともに、矢印ＡＲ2に示すように湾曲変形状態のまま帯状片１１３を開口部２３を介して灯籠本体部２２の内部に挿入して第１および第２当接部位１１１，１１２を開口部２３の左側端部２３Ｌおよび右側端部２３Ｒにそれぞれ当接させる。そして、取付作業者は当接部位１１１，１１２から手を離して取付作業を終了する（同図（ｃ））。
【００２１】
なお、上記においては図４を参照しつつ装着手順について説明したが、灯籠本体部２２から石製灯籠用扉１を取り外す場合には、装着手順と逆の手順を行うことができる。
【００２２】
以上のように、この実施形態によれば、第１および第２当接部位１１１、１１２を帯状片（連結部位）１１３によって相互に連結してなる固定部１１を用いているので、上記したようにして取付作業者は石製灯籠２の内部での作業を行なうことなく、石製灯籠２に対する石製灯籠用扉１の着脱作業を行なうことができる。また、着脱作業も強制湾曲させた状態で帯状片（連結部位）１１３を開口部２３から挿脱する、つまりワンタッチ方式で行うことができる。したがって、石製灯籠２に対する石製灯籠用扉１の着脱作業性を大幅に向上させることができる。
【００２３】
また、帯状片１１３が開口部２３から灯籠本体部２２の内部に挿入されると、図４（ｃ）に示すように、切り込み片部１１４が灯籠本体部２２の内壁面に係止され、固定部１１の固定強度をさらに高めることができる。すなわち、この実施形態では、強制湾曲された帯状片１１３による離間付勢力に固定部１１を開口部２３の左右側端部２３Ｌ，２３Ｒで当接固定しているが、離間付勢力以外に固定部１１全体を正面側に付勢する力も発生する。しかしながら、この実施形態では、４本の切り込み片部１１４を設け、該切り込み片部１１４が灯籠本体部２２の内壁面に当接することによって正面側への固定部１１の移動を防止している。その結果、石製灯籠用扉１をより強固に石製灯籠２に固定することができる。しかも、上記のように構成された切り込み片部１１４は強制湾曲挿入時（図４（ｂ））には開口部２３および灯籠本体部２２の内壁面に沿って摺動可能となる一方、装着後に逆方向に固定部１１が移動しようとした場合、切り込み片部１１４は釣り針の「戻り」のごとく作用して固定部１１の移動を確実に防止することができる。したがって、この実施形態にかかる石製灯籠用扉１は取付作業性と固定強度とを兼ね備えた構成といえる。ここでは、切り込み片部１１４が内壁面に当接して係止されているが、灯籠本体部２２との摩擦力により係止されるように構成してもよい。
【００２４】
さらに、上記実施形態によれば、固定部１１が灯籠本体部２２に装着されると、固定部１１を構成する帯状片（連結部位）１１３が図１および図２に示すようにロウソク立て１５の背面側（図２の左手側）に位置することとなり、ロウソク立て１５に立てられたロウソクを背面側で取り巻くように配置される。したがって、帯状片１１３をステンレス鋼やばね鋼などの金属材料により構成すると、帯状片１１３が反射板としても機能し、背面側に放射された光を正面側に導いて開口部２３から正面側に放射される光量を増大させることができる。
【００２５】
なお、本発明は上記した実施形態に限定されるものではなく、その趣旨を逸脱しない限りにおいて上述したもの以外に種々の変更を行うことが可能である。例えば、上記実施形態では、切り込み片部１１４が本発明の「係止部位」として機能しているが、係止部位を設けることは本発明の必須構成要件ではなく、必要に応じて設けるようにすればよいが、固定強度を高める上では有用である。
【００２６】
また、固定部１１の他の部位を係止部位として設けてもよい。例えば、固定部１１を灯籠本体部２２に装着した状態（図４（ｃ））で当接部位１１１，１１２の一部が灯籠本体部２２の内壁面と係合するように各当接部位１１１，１１２を構成したり、当接部位１１１，１１２や連結部位１１３から係止部材を灯籠本体部２２の内壁面に向けて突設させて装着状態で該係止部材が灯籠本体部２２と係合するように構成したり、連結部位１１３から灯籠本体部２２の背面側に係止部材を延設させて灯籠本体部２２の切欠部２２１に係合させるようにしてもよい。要は、開口部２３よりも石製灯籠２の背面側において石製灯籠２の一部に係止される係止部位をさらに設けるようにすればよい。
【００２７】
また、上記実施形態では、固定部１１に対して扉本体１２が取り付けられた状態のまま、石製灯籠用扉１を石製灯籠２に対して着脱しているが、固定部１１に対して扉本体１２が着脱自在となっているため、まず固定部１１のみを灯籠本体部２２に装着固定した後、扉本体１２を固定部１１に取り付けるようにしてもよい。また、取り外しも同様に、扉本体１２を取り外した後に固定部１１を灯籠本体部２２から取り外すようにしてもよい。
【００２８】
また、上記実施形態では、扉本体１２が第２当接部位１１２に揺動自在に取り付けられているが、扉本体１２が第１当接部位１１１に取り付けられる石製灯籠用扉にも本発明を適用することができる。また、第１および第２当接部位１１１、１１２を開口部２３の左右側端部に当接させて固定部１１を固定しているが、開口部２３の上下側端部に第１および第２当接部位１１１、１１２を当接させて固定部１１を固定するようにしてもよい。このように、本発明の適用対象は扉本体の開閉方向に限定されず、石製灯籠用扉が石製灯籠の開口部に対して開閉可能に装着される石製灯籠用扉および石製灯籠全般に適用することができる。
【図面の簡単な説明】
【００２９】
【図１】本発明にかかる石製灯籠の一実施形態を示す斜視図である。
【図２】図１の石製灯籠の断面図である。
【図３】図１の石製灯籠に装着される石製灯籠用扉を示す斜視図である。
【図４】石製灯籠への石製灯籠用扉の取付手順を模式的に示す図である。
【符号の説明】
【００３０】
１…石製灯籠用扉
２…石製灯籠
１１…固定部
１２…扉本体
２２…灯籠本体部
２３…開口部
２３Ｌ…左側端部（一方端部）
２３Ｒ…右側端部（他方端部）
１１１…第１当接部位
１１３…帯状片（連結部位）
１１４…切り込み部（係止部位）
【要約】
【課題】  優れた作業性で石製灯籠に対する石製灯籠用扉の着脱を行うことができる石製灯籠用扉および石製灯籠を提供する。
【解決手段】  第１および第２当接部位１１１，１１２は互いに対向配置された状態で２本の帯状片１１３で相互に連結されている。また、各帯状片１１３は、外力付与が全くない状態では単に当接部位１１１，１１２の連結機能を発揮するのみであるが、強制湾曲させると、その強制湾曲状態に応じた付勢力が発生して当接部位１１１，１１２を互いに離間する方向に付勢する。そこで、帯状片１１３を石製灯籠の内部に向けて強制的に湾曲変形させた状態で帯状片１１３を開口部を介して灯籠本体部の内部に挿入して該付勢力で第１および第２当接部位１１１，１１２を開口部２３の左側端部および右側端部にそれぞれ当接させて固定する。
【選択図】  図３
【図１】
0003623957.tif 000002
【図２】
0003623957.tif 000003
【図３】
0003623957.tif 000004
【図４】
0003623957.tif 000005